(57)【要約】【課題】複数種類の刷毛を有する帯状ブラシを提供する。【解決手段】複数種類の刷毛を有する帯状ブラシはローラーに巻き付き、ローラーに伴って刷毛を回転させ、帯状体、第一刷毛および第二刷毛を備えることが特徴である。帯状体は格納溝を有する。第一刷毛は一部分が格納溝に収まり、帯状体に連結される。第二刷毛は一部分が格納溝に収まり、帯状体に連結される。上述したとおり、第一刷毛および第二刷毛は同じ帯状体に配置される。ローラーの回転速度が一定である際、先行技術と比べて洗浄部位を通る刷毛の種類が比較的多いため洗浄効果がより良好である。【選択図】図２
2018192235.tif 000002
【特許請求の範囲】
【請求項１】
ローラーに巻き付き、前記ローラーに伴って刷毛を回転させ、帯状体、第一刷毛および第二刷毛を備え、
前記帯状体は、前記ローラーに巻き付き、格納溝を有し、
前記第一刷毛は、一部分が前記格納溝に収まり、前記帯状体に連結され、
前記第二刷毛は、一部分が前記格納溝に収まり、前記帯状体に連結されることを特徴とする、
複数種類の刷毛を有する帯状ブラシ。
【請求項２】
さらに押さえ棒を備え、前記押さえ棒は前記格納溝内に配置され、前記帯状体は前記格納溝の相対する両側に第一側壁面および第二側壁面を有し、前記第一側壁面および前記第二側壁面は相互に寄せ付け、前記第一刷毛、前記第二刷毛および前記押さえ棒を挟むことを特徴とする請求項１に記載の複数種類の刷毛を有する帯状ブラシ。
【請求項３】
前記格納溝は前記帯状体の延長方向に沿って第一区間および第二区間に分けられ、前記第一刷毛は前記第一区間において前記帯状体に連結され、前記第二刷毛は前記第二区間において前記帯状体に連結されることを特徴とする請求項１に記載の複数種類の刷毛を有する帯状ブラシ。
【請求項４】
前記帯状体は前記格納溝の相対する両側に前記第一側壁面および前記第二側壁面を有し、前記第一刷毛は第一層になり、前記第二刷毛は第二層になり、前記第一層および前記第二層は前記第一側壁面および前記第二側壁面の間に配置されることを特徴とする請求項１に記載の複数種類の刷毛を有する帯状ブラシ。
【請求項５】
前記第一刷毛または前記第二刷毛は、太さが５ｍｍから０．０１ｍｍの単繊維またはマルチフィラメントからなることを特徴とする請求項１に記載の複数種類の刷毛を有する帯状ブラシ。
【請求項６】
前記第一刷毛または前記第二刷毛は片状を呈することを特徴とする請求項１に記載の複数種類の刷毛を有する帯状ブラシ。
【請求項７】
前記第一刷毛または前記第二刷毛は、ポリプロピレン（ＰＰ）、テトラフルオロエチレン−パーフルオロアルコキシビニルエーテル共重合体（ＰＦＡ）、ナイロン（Ｎｙｌｏｎ）またはスポンジ材料から製作されることを特徴とする請求項１に記載の複数種類の刷毛を有する帯状ブラシ。
【発明の詳細な説明】
【技術分野】
【０００１】
本発明は、液晶ガラス基板およびほかの板部材の洗浄に用いるブラシに関し、詳しくは複数種類の刷毛を有する帯状ブラシに関するものである。
【背景技術】
【０００２】
液晶パネルのガラス基板を洗浄する際、ロールブラシを使ってガラス基板を洗浄することが一般的である。ロールブラシのうちの一種類は刷毛を有する帯状体がローラーに巻き付き、ローラーの回転に伴って帯状体の刷毛を運動させることによって洗浄作業を行うものである。
【０００３】
実際に液晶パネルのガラス基板を洗浄する際、異なる粒径の異物に応じて異なる太さのブラシを使用して洗浄する。これに対し、特許文献１は第一螺旋状部材と第二螺旋状部材とを相互に交錯させることによって異なる硬さの異物を除去する技術を提示した。
一方、ローラーの回転速度が一定である場合、洗浄部位を通る刷毛の種類が多ければ洗浄効果が増大する。これに対し、特許文献１の構築に基づいて刷毛の種類を増やすには螺旋状部材を増設することが必要である。
しかし、螺旋状部材が増えれば異なる刷毛の洗浄部位を通る距離が増大するとともに異なる種類の刷毛の一定部位を通る割合が減少するため、洗浄効果を増強できない。従って、特許文献１による洗浄効果には改善の余地がある。
【先行技術文献】
【特許文献】
【０００４】
【特許文献１】台湾実用新案Ｍ４１１１５７号公報
【発明の概要】
【発明が解決しようとする課題】
【０００５】
本発明は、上述した問題に鑑み、洗浄効果を増強できる複数種類の刷毛を有する帯状ブラシを提供することを主な目的とする。
【課題を解決するための手段】
【０００６】
上述した課題を解決するため、複数種類の刷毛を有する帯状ブラシはローラーに巻き付き、ローラーに伴って刷毛を回転させ、帯状体、第一刷毛および第二刷毛を備えることが特徴である。帯状体はローラーに巻き付き、格納溝を有する。第一刷毛は一部分が格納溝に収まり、帯状体に連結される。第二刷毛は一部分が格納溝に収まり、帯状体に連結される。
【０００７】
上述したとおり、第一刷毛および第二刷毛は同じ帯状体に配置される。ローラーの回転速度が一定である際、先行技術に対し、本発明は異なる種類の刷毛が洗浄部位を通る割合が大きいため洗浄効果がより良好である。
【０００８】
比較的好ましい場合、複数種類の刷毛を有する帯状ブラシはさらに押さえ棒を備える。押さえ棒は格納溝内に配置されることで第一刷毛および第二刷毛を強く固定する。帯状体は格納溝の相対する両側に第一側壁面および第二側壁面を有する。第一側壁面および第二側壁面は相互に寄せ付け、第一刷毛、第二刷毛および押さえ棒を挟む。
【０００９】
格納溝は帯状体の延長方向に沿って第一区間および第二区間に分けられる。第一刷毛は第一区間において帯状体に連結される。第二刷毛は第二区間において帯状体に連結される。上述したとおり、同じ帯状体に異なる種類の刷毛を配置することによって洗浄効果を増大させる目的を達成することができる。
【００１０】
帯状体は格納溝の相対する両側に第一側壁面および第二側壁面を有する。第一刷毛は第一層になる。第二刷毛は第二層になる。第一層および第二層は第一側壁面および第二側壁面の間に配置される。上述したとおり、同じ帯状体に異なる種類の刷毛を配置することによって洗浄効果を増大させる目的を達成することができる。
【００１１】
第一刷毛または第二刷毛は太さが５ｍｍから０．０１ｍｍの単繊維またはマルチフィラメントからなる。
【００１２】
第一刷毛または第二刷毛は片状を呈する。
【００１３】
第一刷毛または第二刷毛はポリプロピレン（ＰＰ）、テトラフルオロエチレン−パーフルオロアルコキシビニルエーテル共重合体（ＰＦＡ）、ナイロン（Ｎｙｌｏｎ）またはスポンジ材料などから製作される。
【図面の簡単な説明】
【００１４】
【図１】本発明の第１実施形態による複数種類の刷毛を有する帯状ブラシを示す斜視図である。
【図２】本発明の第１実施形態による複数種類の刷毛を有する帯状ブラシの帯状体を示す側面図である。
【図３】本発明の第１実施形態による複数種類の刷毛を有する帯状ブラシの帯状体を示す断面図である。
【図４】本発明の第２実施形態による複数種類の刷毛を有する帯状ブラシを示す斜視図である。
【図５】発明の第２実施形態による複数種類の刷毛を有する帯状ブラシの帯状体を示す斜視図である。
【図６】本発明の第２実施形態による複数種類の刷毛を有する帯状ブラシの帯状体を示す断面図である。
【発明を実施するための形態】
【００１５】
以下、本発明による複数種類の刷毛を有する帯状ブラシを図面に基づいて説明する。
【００１６】
（第１実施形態）
図１から図３に示すように、本発明の第１実施形態による複数種類の刷毛を有する帯状ブラシ１０はローラー２０に巻き付き、ローラー２０に伴って刷毛を回転させ、帯状体１１、第一刷毛１２および第二刷毛１３を備える。
【００１７】
帯状体１１は、ローラー２０に巻き付き、格納溝１１１を有する。格納溝１１１は帯状体１１の延長方向に沿って形成される。
【００１８】
第一刷毛１２は一部分が格納溝１１１内に収まり、帯状体１１に連結され、別の一部分が格納溝１１１に露出することによって物体に接触し、物体の表面を洗浄する。
【００１９】
第二刷毛１３は一部分が格納溝１１１内に収まり、帯状体１１に連結され、別の一部分が格納溝１１１に露出することによって物体に接触し、物体の表面を洗浄する。
【００２０】
上述したとおり、第一刷毛１２および第二刷毛１３は同じ帯状体１１に配置される。ローラー２０の回転速度が一定である場合、先行技術に対し、本発明は洗浄部位を通る刷毛の種類が比較的多いため洗浄効果がより良好である。
【００２１】
第１実施形態はさらに押さえ棒２１を備える。押さえ棒２１は格納溝１１１内に配置されることで第一刷毛１２および第二刷毛１３を強く固定する。帯状体１１は格納溝１１１の相対する両側に第一側壁面１１２および第二側壁面１１３を有する。第一側壁面１１２および第二側壁面１１３は相互に寄せ付け、第一刷毛１２、第二刷毛１３および押さえ棒２１を挟む。
【００２２】
第１実施形態において、格納溝１１１は帯状体１１の延長方向に沿って第一区間１１１ａおよび第二区間１１１ｂに分けられる。第一刷毛１２は第一区間１１１ａにおいて帯状体１１に連結される。第二刷毛１３は第二区間１１１ｂにおいて帯状体１１に連結される。上述したとおり、同じ帯状体１１に異なる種類の刷毛を配置することによって洗浄効果を増大させる目的を達成することができる。
第一刷毛１２または第二刷毛１３は太さが５ｍｍから０．０１ｍｍの単繊維（Ｍｏｎｏｆｉｌａｍｅｎｔ）またはマルチフィラメント（Ｍｕｌｔｉｆｉｌａｍｅｎｔ）からなる。第一刷毛１２または第二刷毛１３は片状を呈する。第一刷毛１２または第二刷毛１３はポリプロピレン（ＰＰ）、テトラフルオロエチレン−パーフルオロアルコキシビニルエーテル共重合体（ＰＦＡ）、ナイロン（Ｎｙｌｏｎ）またはスポンジ材料などから製作される。
【００２３】
第１実施形態において第一刷毛１２および第二刷毛１３を配置する方式は一例に過ぎず、刷毛の種類を増やす、即ち第三刷毛や第四刷毛などを同じ帯状体１１に増設し、清浄効果を増大させる方式を採用してもよい。
【００２４】
（第２実施形態）
図４から図６に示すように、本発明の第２実施形態において、第一刷毛１２は第一層１２ａになる。第二刷毛１３は第二層１３ａになる。第一層１２ａおよび第二層１３ａは第一側壁面１１２および第二側壁面１１３の間に配置される。上述したとおり、同じ帯状体１１に異なる種類の刷毛を配置することによって洗浄効果を増大させる目的を達成することができる。洗浄作業を行う際、異なる種類の刷毛は同時に物体に接触することによって洗浄作業を行う。
第一刷毛１２または第二刷毛１３は太さが５ｍｍから０．０１ｍｍの単繊維（Ｍｏｎｏｆｉｌａｍｅｎｔ）またはマルチフィラメント（Ｍｕｌｔｉｆｉｌａｍｅｎｔ）からなる。第一刷毛１２または第二刷毛１３は片状を呈する。第一刷毛１２または第二刷毛１３はポリプロピレン（ＰＰ）、テトラフルオロエチレン−パーフルオロアルコキシビニルエーテル共重合体（ＰＦＡ）、ナイロン（Ｎｙｌｏｎ）またはスポンジ材料などから製作される。
【００２５】
上述したとおり、第一刷毛１２および第二刷毛１３は同じ帯状体１１に配置される。ローラー２０の回転速度が一定である場合、先行技術に対し、本発明は洗浄部位を通る刷毛の種類が比較的多いため洗浄効果がより良好である。
【符号の説明】
【００２６】
１０  複数種類の刷毛を有する帯状ブラシ
１１  帯状体
１１１  格納溝
１１１ａ  第一区間
１１１ｂ  第二区間
１１２  第一側壁面
１１３  第二側壁面
１２  第一刷毛
１２ａ  第一層
１３  第二刷毛
１３ａ  第二層
２０  ローラー
２１  押さえ棒
【図１】
2018192235.tif 000003
【図２】
2018192235.tif 000004
【図３】
2018192235.tif 000005
【図４】
2018192235.tif 000006
【図５】
2018192235.tif 000007
【図６】
2018192235.tif 000008